(57)【要約】【課題】前後ウエスト域が弾性的に収縮する材料から構成されているにもかかわらず、前後ウエスト域の外面にはその収縮によるギャザーが形成されず外観良好なパンツ型使い捨て着用物品の提供。【解決手段】パンツ型使い捨て着用物品であって、これは、シャーシ１５と、その内側に延在する吸収性バット構造体１６を含む。シャーシ１５は、前ウエスト域１２、後ウエスト域１３及びクロッチ域１４を有し、横方向へ実質的に弾性的に収縮しないベースシート１９と、ベースシート１９の前後ウエスト域それぞれの外面に横方向へ伸長下に接合し該方向へ弾性的に収縮する第１及び第２外装シート２０，２１とを含む。シャーシ１５の内側には吸収性バット構造体１６が位置する。ベースシート１９は、第１及び第２外装シートの収縮によってギャザーを形成する。【選択図】図３
2006346439.tif 000002
【特許請求の範囲】
【請求項１】
互いに直交する縦軸及び横軸を有するシャーシと、吸収性バット構造体とを含み、
前記シャーシが、熱可塑性繊維不織布からなっていて前記横軸の方向へ弾性伸縮性でかつ前記縦軸の方向へ実質的に非弾性伸縮性の、前ウエストバンド部を含む前ウエスト域と、熱可塑性繊維不織布からなっていて前記横軸の方向へ弾性伸縮性でかつ前記縦軸の方向へ実質的に非弾性伸縮性の、後ウエストバンド部を含む後ウエスト域と、少なくとも前記縦軸の方向へ実質的に非弾性伸縮性のクロッチ域とを有し、前記前後ウエスト域の両側縁部において前記前後ウエスト域をそれらの両側縁部において互いに分離した前記シャーシの全域の展開平面において、前記横軸の方向における前記クロッチ域の両側縁部が前記クロッチ域の外側から前記縦軸の側へ一定深さの凹曲部を有する形状に形成され、かつ、前記シャーシが、ウエスト開口及び一対のレッグ開口とを有し、
前記バット構造体が、前記前後ウエスト域の間における前記シャーシの内面に延在するパンツ型使い捨て着用物品において、
前記シャーシが、前記前後ウエスト域、前記クロッチ域及び前記凹曲部を有し、少なくとも前記縦軸の方向へ実質的に非弾性伸縮性のベースシートと、前記ベースシートの前記前後ウエスト域それぞれの外面に前記横軸の方向へ伸長下に接合し、同方向へ弾性伸縮性を有しその収縮性によって前記ベースシートにギャザーを形成する第１及び第２外装シートとを含み、
付根縁部、自由縁部及び両端部を有し少なくとも前記縦軸の方向へ弾性伸縮性で液抵抗性の一対のクロッチサイドシートそれぞれが、前記バット構造体の両側縁部の下部において前記クロッチ域の前記凹曲部それぞれの底縁近傍に沿って接合されるとともに前記両端部が前記前後ウエスト域に接合され、前記自由縁部を含む前記クロッチサイドシートの非接合域が、前記バット構造体の前記両側縁部に対して自由に伸縮可能であって、前記物品の着用時に前記クロッチ域の前記両側縁部それぞれにおいて、前記バット構造体の吸液域の両側部の近傍それぞれから前記横軸の方向外側へ張り出すことを特徴とする前記物品。
【請求項２】
前記吸液域が吸液性コアから形成され、前記コアは、前記クロッチ域に位置する前記コアの前記両側部の近傍において互いに前記横軸の方向へ離間して前記縦軸の方向へ延びる一対の第１屈曲案内条部を有する請求項１記載の物品。
【請求項３】
前記コアは、さらに前記一対の第１屈曲案内条部の中間に介在して前記クロッチ域から前記前後ウエスト域へ延びる第２屈曲案内条部を有する請求項２記載の物品。
【請求項４】
前記コアは、前記一対の第１屈曲案内条部の近傍において前記横軸の方向外側へ張り出す一対の耳部を有する請求項２又は３記載の物品。
【請求項５】
前記縦軸の方向へ弾性的に伸縮する液抵抗性の一対のバリヤフラップそれぞれが、付根縁部、自由縁部及び対向端部を有し、前記付根縁部それぞれが前記バット構造体の両側縁部それぞれと前記一対のクロッチサイドシートそれぞれとの間に固定され、前記バリヤフラップそれぞれが、それらの収縮下に、前記クロッチサイドシートそれぞれから上方へ離間するように起き上がり可能である請求項１〜４のいずれかに記載の物品。
【請求項６】
前記自由縁部を含む前記クロッチサイドシートの前記非接合域の最狭部位の前記横軸の方向への張り出し寸法が、１０〜５０ｍｍである請求項１〜５のいずれかに記載の物品。
【請求項７】
前記前ウエスト域の前面から観察するときの前記レッグ開口それぞれが、前記横軸の方向へほぼ直線状に延びる前記前ウエスト域の下方端縁と、前記縦軸の方向へ凹曲状に延びる前記クロッチ域の側縁と、前記下方端縁と前記側縁との間にほぼ斜めにほぼ直線状に延びる前記後ウエスト域の下方側縁とによって画成されるほぼ三角形を有し、このほぼ三角形のレッグ開口それぞれから前記ギャザーを有する前記ベースシートの一部が露出する請求項１〜６のいずれかに記載の物品。
【請求項８】
前記シャーシは、前記コアの領域と重なり合う前記前後ウエスト域における前記第１及び第２外装シートの領域において、前記横軸の方向への弾性伸縮性が実質的に喪失する処理が施されている請求項１〜７のいずれかに記載の物品。
【請求項９】
前記バット構造体の少なくとも前記吸液域の領域に少なくとも相当する大きさを有する液抵抗性のバリヤシートが、前記吸液域の下部に位置している請求項１〜８のいずれかに記載の物品。
【請求項１０】
前記シャーシは非弾性伸縮性の第３外装シートを含み、前記第３外装シートは前記前後ウエスト域の間において前記クロッチ域の外面を被覆する請求項１〜９のいずれかに記載の物品。
【請求項１１】
前記第１及び第２外装シートと前記ベースシートとの接合は、実質的に前記縦軸の方向へ断続的又は連続的に延びる多数の接合線によってなされている請求項１〜１０のいずれかに記載の物品。
【発明の詳細な説明】
【技術分野】
【０００１】
この発明は、パンツ型使い捨て着用物品に関し、さらに詳しくは、パンツ型失禁用おむつ、パンツ型使い捨ての乳幼児用おむつ、使い捨て幼児用トレニングパンツなど、特にパンツ型使い捨て失禁用おむつとして好適な着用物品に関する。
【背景技術】
【０００２】
従来のパンツ型使い捨て着用物品は、着用フィット性の要求に応えるため、前後ウエスト域の全体がウエスト周り方向へ収縮可能にされている。例えば、特許文献１では、前後ウエスト域が、内外面材とこれらの間に介在する伸縮弾性材とから構成されているパンツ型使い捨ておむつが開示されている。
【０００３】
特許文献２〜４では、吸収性コアを有し、クロッチ域に形成された凹曲部の底縁に比較的幅広の伸縮部材が取り付けられた使い捨て吸収性パンツが開示されている。
【０００４】
特許文献５では、吸収層にクロッチ域から前後ウエスト域へ延びる少なくとも３条の溝が形成された使い捨ておむつが開示されている。
【特許文献１】特許第３５８１３７３号公報
【特許文献２】特開昭６２−２３１００５号公報
【特許文献３】特開昭６２−２４３８０６号公報
【特許文献４】特開昭６２−２４３８０７号公報
【特許文献５】特許第３６１６０７７号公報
【発明の開示】
【発明が解決しようとする課題】
【０００５】
特許文献１によれば、前後ウエスト域の内外面に伸縮弾性材の収縮によってギャザーが形成される。前後ウエスト域の外面におけるギャザーは、おむつの外観上好ましいものではないばかりでなく、他のものに引っ掛けられたとき、着用状態を乱したり該ウエスト域を形成する材料を破損したりすることがある。
【０００６】
特許文献２〜４においては、クロッチ域に形成された凹曲部の底縁に取り付けられた比較的幅広の伸縮部材に関して、格別の技術的意義が開示されていない。特に、比較的幅広の伸縮部材と吸収性との相関関係に関する技術的意義を見出すことができないことから、その技術的意義のため比較的幅広の伸縮部材が用いられているものではないといえる。
【０００７】
特許文献５によれば、おむつの着用時にフラットな吸収層がその中央部において溝を介して断面Ｗ形にかつその両側部において下向きに屈曲する。下向きに屈曲した両側部は、おむつの着用時に着用者の両大腿の内側に当接する。一般に吸収層はおむつの他の構成材料に比較して剛性であるので、その剛性な下向きに屈曲した両側部の吸収層部分が着用者の両大腿の内側に当接し、着用者に違和感を覚えさせる。また、前記屈曲は、単に吸収層がＷ形に屈曲する場合に比較して、その屈曲数、すなわち、形成される山・谷の数が多くなるから、着用者の両大腿の内側で吸収層が挟圧されたとき、必ずしも所定形に屈曲するとは限らない。
【０００８】
この発明は、このような従来のパンツ型使い捨ておむつなどの着用物品が有する課題を解決することを目的とするものである。
【課題を解決するための手段】
【０００９】
前記目的を達成するための、この発明は、互いに直交する縦軸及び横軸を有するシャーシと、吸収性バット構造体とを含み、前記シャーシが、熱可塑性繊維不織布からなっていて前記横軸の方向へ弾性伸縮性でかつ前記縦軸の方向へ実質的に非弾性伸縮性の、前ウエストバンド部を含む前ウエスト域と、熱可塑性繊維不織布からなっていて前記横軸の方向へ弾性伸縮性でかつ前記縦軸の方向へ実質的に非弾性伸縮性の、後ウエストバンド部を含む後ウエスト域と、少なくとも前記縦軸の方向へ実質的に非弾性伸縮性のクロッチ域とを有し、前記前後ウエスト域の両側縁部において前記前後ウエスト域をそれらの両側縁部において互いに分離した前記シャーシの全域の展開平面において、前記横軸の方向における前記クロッチ域の両側縁部が前記クロッチ域の外側から前記縦軸の側へ一定深さの凹曲部を有する形状に形成され、かつ、前記シャーシが、ウエスト開口及び一対のレッグ開口とを有し、前記バット構造体が、前記前後ウエスト域の間における前記シャーシの内面に延在するパンツ型使い捨て着用物品の改良に係わる。
【００１０】
この発明の特徴とする構成は、前記シャーシが、前記前後ウエスト域、前記クロッチ域及び前記凹曲部を有し、少なくとも前記縦軸の方向へ実質的に非弾性伸縮性のベースシートと、前記ベースシートの前記前後ウエスト域それぞれの外面に前記横軸の方向へ伸長下に接合し、同方向へ弾性伸縮性を有しその収縮性によって前記ベースシートにギャザーを形成する第１及び第２外装シートとを含んでいることと、付根縁部、自由縁部及び対向端部を有し少なくとも前記縦軸の方向へ弾性伸縮性で液抵抗性の一対のクロッチサイドシートそれぞれが、前記バット構造体の両側縁部の下部において前記クロッチ域の前記凹曲部それぞれの底縁近傍に沿って接合されるとともに前記両端部が前記前後ウエスト域に接合され、前記自由縁部を含む前記クロッチサイドシートの非接合域が、前記バット構造体の前記両側縁部に対して自由に伸縮可能であって、前記物品の着用時に前記クロッチ域の前記両側縁部それぞれにおいて、前記バット構造体の吸液域の両側部の近傍それぞれから前記横軸の方向外側へ張り出すこととにある。
【００１１】
この発明は、下記の好ましい実施の形態を含むことができる。
【００１２】
前記吸液域が吸液性コアから形成され、前記コアは、前記クロッチ域に位置する前記コアの前記両側部の近傍において互いに前記横軸の方向へ離間して前記縦軸の方向へ延びる一対の第１屈曲案内条部を有する。
【００１３】
前記コアは、さらに前記一対の第１屈曲案内条部の中間に介在して前記クロッチ域から前記前後ウエスト域へ延びる第２屈曲案内条部を有する。
【００１４】
前記コアは、前記一対の第１屈曲案内条部の近傍において前記横軸の方向外側へ張り出す一対の耳部を有する。
【００１５】
前記縦軸の方向へ弾性的に伸縮する液抵抗性の一対のバリヤフラップそれぞれが、付根縁部、自由縁部及び対向端部を有し、前記付根縁部それぞれが前記バット構造体の両側縁部それぞれと前記一対のクロッチサイドシートそれぞれとの間に固定され、前記バリヤフラップそれぞれが、それらの収縮下に、前記クロッチサイドシートそれぞれから上方へ離間するように起き上がり可能である。
【００１６】
前記自由縁部を含む前記クロッチサイドシートの前記非接合域の最狭部位の前記横軸の方向への張り出し寸法が、１０〜５０ｍｍである。
【００１７】
前記前ウエスト域の前面から観察するときの前記レッグ開口それぞれが、前記横軸の方向へほぼ直線状に延びる前記前ウエスト域の下方端縁と、前記縦軸の方向へ凹曲状に延びる前記クロッチ域の側縁と、前記下方端縁と前記側縁との間にほぼ斜めにほぼ直線状に延びる前記後ウエスト域の下方側縁とによって画成されるほぼ三角形を有し、このほぼ三角形のレッグ開口それぞれから前記ギャザーを有する前記ベースシートの一部が露出する。
【００１８】
前記シャーシは、前記コアの領域と重なり合う前記前後ウエスト域における前記第１及び第２外装シートの領域において、前記横軸の方向への弾性的伸縮性が実質的に喪失する処理が施されている。
【００１９】
前記バット構造体の少なくとも前記吸液域の領域に少なくとも相当する大きさを有する液抵抗性のバリヤシートが、前記吸液域の下部に位置している。
【００２０】
前記シャーシは非弾性伸縮性の第３外装シートを含み、前記第３外装シートは前記前後ウエスト域の間において前記クロッチ域の外面を被覆する。
【００２１】
前記第１及び第２外装シートと前記ベースシートとの接合は、実質的に前記縦軸の方向へ断続的又は連続的に延びる多数の接合線によってなされている。
【発明の効果】
【００２２】
この発明に係るパンツ型使い捨て着用物品によれば、前後ウエスト域が、少なくとも縦軸の方向へ実質的に収縮しないベースシートと、ベースシートの前後ウエスト域それぞれに接合し横軸の方向へ弾性的に収縮する第１及び第２外装シートとから構成されるから、第１及び第２外装シートの収縮によって内側に位置するベースシートの前後ウエスト域に、これと着用者肌との間に通気性を与えるギャザーが形成されるが、前後ウエスト域の外面に位置する第１及び第２外装シートには、ウエストバンド部を除いて、ギャザーが形成されないから、物品の外観体裁が良好であるばかりでなく、他のものに引っ掛けられたとき、着用状態を乱したり該ウエスト域を形成する材料を破損したりするおそれがない。
【００２３】
前後ウエスト域が縦軸の方向へ弾性的非伸縮性であるから、物品の着用時に、クロッチサイドシートが着用者のクロッチの大腿内側に弾性的に伸長し下方へ屈曲して充分に密着するように物品をスムースに引き上げることができる。物品の着用状態では、前後ウエスト域の内側のベースシートにはギャザーが生じるが、前後ウエスト域の第１及び第２外装シートがそれぞれ弾性的伸縮性のシートであるから、前後ウエスト域外面には不規則なギャザーが生じることがないとともに、クロッチサイドシートも弾性的伸縮性のシートであるから、クロッチに不規則なギャザーが生じることがなく大腿内側に面接触する。クロッチサイドシートが下方へ屈曲するのは、物品の着用時に着用者の大腿内側に該クロッチサイドシートの自由縁部が摺接されて下方へ押し倒されるからである。したがって、着用者のクロッチからの排泄物の漏れを充分に防止することができる。
【００２４】
さらに、この発明の実施の形態によれば、物品の着用時に、着用者がウエスト開口を開いたとき、ウエスト開口から充分に開いたレッグ開口を明確に視認し、足先をレッグ開口に引っ掛けることなく容易にレッグ開口に足先を挿通させることができる。物品の着用状態では、クロッチサイドシートが、その弾性的収縮力によって、バリヤフラップの下方からコアの耳部を第１屈曲案内条部を介して上方へ押し上げ、耳部に側壁を形成させる。さらに、コアが着用者の大腿内面で挟圧されると、第２屈曲案内条部を介して断面Ｗ形に変形させる。クロッチサイドシートは、該Ｗ形状を保持させ続ける。したがって、物品が正常に着用される限り、該Ｗ形の山部が着用者の排泄器官の外面とほぼ接触し、排泄物の着用者肌への伝わりを防止するとともに、該Ｗ形の谷部への排泄物の流入を促進させ排泄物が着用者肌に接触することを少なくすることができる。
【発明を実施するための最良の形態】
【００２５】
この発明に係るパンツ型使い捨て着用物品の実施の形態を、図示のパンツ型使い捨ておむつを例にとって説明すると、以下のとおりである。
【００２６】
図１，２において、おむつは、前後ウエスト域が連結するパンツ型に形成され、縦軸Ｙ及び横軸Ｘと、ウエスト開口１０と、一対のレッグ開口１１と、前ウエスト域１２と、後ウエスト域１３と、クロッチ域１４とを有する。ただし、縦横軸Ｙ，Ｘを示す線は、それぞれ図２における切断線４，６を兼ねる。おむつは、基本的に、シャーシ１５と、吸収性バット構造体１６とから構成される。バット構造体１６は、シャーシ１５の内側における前後ウエスト域１２，１３間で縦軸Ｙの方向へ延在する。ただし、バット構造体１６は、シャーシ１５との関係位置では、シャーシ１５の前端部の側へ若干偏倚する。
【００２７】
図２〜５において、シャーシ１５は、縦横軸Ｙ，Ｘ（図２）の方向、少なくとも縦軸Ｙの方向へ非弾性伸縮性のベースシート１９と、横軸Ｘの方向へ弾性伸縮性で縦軸Ｙの方向へ実質的に非伸縮性の第１外装シート２０、第２外装シート２１及び縦横軸Ｙ，Ｘの方向へ非伸縮性の第３外装シート２２とからなる外装シート３７とから構成される。ベースシート１９は、前ウエスト域１１２と、後ウエスト域１１３と、クロッチ域１１４とが一連に連続する。前ウエスト域１１２は、クロッチ域１１４との連続部を仮想直線にみたてたとき、横軸Ｘの方向へ長い長方形を有する。後ウエスト域１１３は、クロッチ域１１４との連続部を仮想直線にみたてたとき、台形を有する。かかる形状を有する後ウエスト域１１３は、面積に関して、前ウエスト域１１２より大きく、着用者の臀部を充分に被覆する。クロッチ域１１４は、その両側縁が内向へ若干凹曲する。
【００２８】
図３に示すように、第１外装シート２０及び第２外装シート２１は、ベースシート１９の前ウエスト域１１２及び後ウエスト域１１３とほぼ同形を有する。ただし、第１外装シート２０及び第２外装シート２１は、縦軸Ｙの方向における寸法に関しては、前後ウエスト域１１２，１１３よりも小さい。第３外装シート２２は、第１及び第２外装シート２０，２１間をホットメルト接着剤、溶着手段（図示せず）などを介して連結し、ベースシート１９のクロッチ域１１４の外面に位置する。第３外装シート２２を介して第１及び第２外装シート２０，２１が連結する。ただし、第３外装シート２２が第１及び第２外装シート２０，２１と別体に形成されることなく、外装シートの全域、すなわち、第１，２及び第３外装シート２０，２１，２２が、該第１及び第２外装シートと同様な一連の繊維不織布から形成され、該第３外装シートに相当する領域の伸縮性が熱処理などで喪失するものであってもよい。
【００２９】
図３，４に示すように（図１参照）、前後ウエスト域１２，１３の端部には、前後ウエストバンド部２９，３０が位置する。前後ウエストバンド部２９，３０は、例えば、縦軸Ｙの方向へ非弾性伸縮性の熱可塑性合成繊維不織布から任意に選ばれ、該不織布が二つ折されてその内部に横軸Ｘの方向へ弾性伸縮性の、複数条の弾性部材３１が介在されることで構成される。前後ウエストバンド部２９，３０は、例えば、前後ウエスト域１２，１３のシャーシ１５の端部を挟んでホットメルト接着剤（図示せず）を介して接合される。後ウエストバンド部３０が前ウエストバンド部２９よりも縦軸Ｙの方向の寸法が大きく、かつ、前者の弾性部材３１の本数が後者のそれよりも多い。前後ウエストバンド部２９，３０は、前後ウエスト域１２，１３のシャーシ１５と別体の前記不織布にかえて、該シャーシの端部が折り返されて形成されることもある。前後ウエストバンド部２９，３０の弾性部材３１は、例えば、５０〜１５０％の伸長時の応力が最大１０N／５０ｍｍであることが好ましい。
【００３０】
ベースシート１９は、縦横軸Ｙ，Ｘの方向、少なくとも縦軸Ｙの方向へ非弾性伸縮性の熱可塑性合成繊維不織布から任意に選ばれうるが、例えば、１０〜５０ｇ／ｍ２のポリオレフイン系のスパンボンド不織布が好適に用いられる。第１及び第２外装シート２０，２１は、例えば、ポリウレタン樹脂とポリプロピレン樹脂との混合繊維で、混合割合６５：３５〜２５：７５、目付２０〜５０ｇ／ｍ２のスパンボンド不織布を一対のギヤロールに通して延伸加工したものが好適に用いられる。
【００３１】
第１及び第２外装シート２０，２１は、前後ウエスト域１２，１３が着用者肌に弾性的に圧接するように、例えば、横軸Ｘの方向（製造時の原反では機械方向）へ５０〜１５０％伸長状態で、ベースシート１９の前後ウエスト域１１２，１１３の外面にホットメルト接着剤（図示せず）を介して接合される。第１及び第２外装シート２０，２１が横軸Ｘの方向へ収縮することで、非弾性伸縮性であるベースシート１９にはギャザー３９（図１参照）が形成される。このギャザー３９の方向性やパターンは、ホットメルト接着剤の塗布パターンによって定まる。すなわち、ホットメルト接着剤は、縦軸Ｙの方向に断続的又は連続的な、ストライプ、スパイラル、ジグザグなどのパターンで塗布され、例えば、ホットメルト接着剤の塗布が縦軸Ｙの方向へ断続的又は連続的に直線状に延びると、ほぼ縦軸Ｙの方向へ延びる多数のギャザー３９が前記パターンに沿って形成される。ホットメルト接着剤は、縦軸Ｙの方向に断続的である場合には、それらの線が千鳥状の配列で延びていることが好ましい。
【００３２】
このギャザー３９は、その内部にチャンネルを形成し、ベースシート１９と着用者肌との間にベースシート１９自体の通気性と相まって良好な通気性を与え、図１のレッグ開口１１から見える。すなわち、見える点について具体的に述べると、図１に示すように、レッグ開口１１は、おむつを前ウエスト域１２の前面から観察するとき、横軸Ｘの方向へ直線状に延びる前ウエスト域１２の下方端縁３４０と、縦軸Ｙの側へ凹曲するクロッチ域１４の側縁２５０と、側縁２５０と下方端縁３４０との間に斜めに直線状に延びる（図２参照）後ウエスト域１３の下方側縁２４０とによって画成されるほぼ三角形を有し、このほぼ三角形のレッグ開口からギャザー３９を形成するベースシート１９の一部が露出する。かかる形状を有するレッグ開口１１は、物品の着用時に、充分に開いてウエスト開口１０から充分に視認される。このギャザー３９は、物品の表面に形成されると物品の外観上好ましくないが、物品の内面に形成されるので、前後ウエスト域１２，１３の内面が良好な肌ざわりや通気性などの機能を提供する。物品の需要者は、ウエスト開口１０を広げて物品の内部を覗くまでもなく、そうした機能を確認することができ極めて便利である。もとより、このギャザー３９は、物品が着用されているときは、レッグ開口１１を挿通する着用者の脚に隠れて見えない。もとより、弾性伸縮性のシャーシ１５のクロッチ域１４には、第１及び第２外装シート２０，２１が位置していないから、なんらギャザーを生ずることがない。
【００３３】
ギャザー３９は、横軸Ｘの方向の一方の側、すなわち、図１において左側又は右側に実質的に倒伏していることが、前後ウエスト域１２，１３の嵩を小さくするうえで好ましい。
【００３４】
図１，２に示すように、レッグ開口１１の一部を形成する後ウエスト域１３の下方側縁２４０に沿って糸状の弾性部材４４がオプションとして取り付けられる。この弾性部材４４は、テープ状のものであってもよい。
【００３５】
バット構造体１６の吸液域に相当するシャーシ１５の領域においては、第１及び第２外装シート２０，２１を横軸Ｘの方向へ適宜伸長下に、例えば、加熱処理されてそれらの弾性伸縮性が喪失し、その状態で、バット構造体１６が、好適には少なくともその両側域を除いて、シャーシ１５の前記処理領域及びクロッチ域１４のベースシート１９に接合される。したがって、バット構造体１６は、第１及び第２外装シート２０，２１の収縮によって妄りに変形することで、着用者に違和感を覚えさせたり、吸収性能を低下させるなどの不具合を未然に防止することができる。かかる喪失の効果を付与するため、前記加熱処理に代えて、バット構造体１６が接合するベースシート１９の領域にホットメルト接着剤が塗布されたり、縦横軸Ｙ，Ｘの方向へ非弾性伸縮性の熱可塑性合成繊維不織布などの適宜シートが接合されたりすることもある。
【００３６】
図１に示すように、シャーシ１５は、前後ウエスト域１２，１３の両側部５１において引き剥がし可能に縦軸Ｙの方向に間欠的に溶着などの接合手段によって接合され、ウエスト開口１０及びレッグ開口１１を有するパンツ型（プルオンタイプ）に形成される。
【００３７】
図２，５に示すように(図６〜８も参照)、バット構造体１６は、フラッフパルプを主材とし、これに超吸収性のポリマー粒子などが混合する吸液性コア４０と、これをその底面から上面へ折り返して被覆する透液性のラップシート４１と、その中央上面にホットメルト接着剤などを介して接合する透液性のトップシート４２とから構成される。コア４０は、バット構造体１６がシャーシ１５の所定部位に固定されている状態（図２参照）で、クロッチ域１４のほぼ中央域と前後端部の両側部それぞれに各一対の耳部４０ａ，４０ｂ，４０ｃが張り出す（図５参照）。コア４０には、耳部４０ａの内側に縦軸Ｙの方向へ屈曲案内条部としての一対の条孔４５ａが延び、かつ、一対の条孔４５ａの間で、前後ウエスト域１２，１３まで、少なくとも物品の着用時に着用者の臀裂上に位置する長さまで、延びる屈曲案内条部としての条孔４５ｂとを有する。これら条孔は、圧搾条溝や材料を部分的に少なくした低密度化条部にかえられてもよい。
【００３８】
バット構造体１６の両側下部には、その両側縁部から横軸Ｘの方向外側へ液抵抗性のバリヤフラップ４６が張り出す。バリヤフラップ４６は、付根縁部４６ａと、自由縁部４６ｂと、両端部４６ｃとを有し、二つ折りされた液抵抗性の繊維質シート４９と、折り返し部である自由縁部４６ｂに介在され縦軸Ｙの方向へ弾性伸縮性の弾性部材４７とその下方に介在され同方向へ弾性的に伸縮するプラスチックフィルム片４８とから構成される。バリヤフラップ４６は、付根縁部４６ａがバット構造体１６の両側下部に固定されるとともに、自由縁部４６ｂが縦軸Ｙの側へ向けられた状態で、両端部４６ｃがバット構造体１６の上面に固定される。バリヤフラップ４６は、弾性部材４７及びフィルム４８の収縮によって後記のクロッチサイドシート５０から上方へ離間するように起き上がり可能である（図１、６、７参照）。バリヤフラップ４６は、その伸長応力が前後ウエストバンド部２９，３０のそれよりも低いことが好ましい。
【００３９】
図６〜８において（図１〜３も参照）、ベースシート１９のクロッチ域１４の両側部には、少なくとも縦軸Ｙの方向へ弾性的に伸縮する液抵抗性の一対のクロッチサイドシート５０が横軸Ｘの方向外側へ張り出す。具体的には、クロッチサイドシート５０は、付根縁部５０ａと、自由縁部５０ｂと、両端部５０ｃとを有し、バリヤフラップ４６の下部において、クロッチ域１４の凹曲部（図２参照）の底縁近傍に沿って少なくとも縦軸Ｙの方向へ伸長状態で、付根縁部５０ａが接合されるとともに両端部５０ｃが前後ウエスト域１２，１３のシャーシ１５に接合される。したがって、自由縁部５０ｂを含むクロッチサイドシート５０の非接合域が、バット構造体１６の側縁部に対して自由に伸縮可能であって、物品の着用時に、クロッチ域１４の側部において、バット構造体１６の吸液域の側部の近傍から横軸Ｘの方向外側へ張り出す。その張り出し状態では、クロッチサイドシート５０は、上方へ起き上がったバリヤフラップ４６と上下方向へ離間し、少なくとも自由縁部５０ｂがバリヤフラップ４６の外側面から横軸Ｘの方向外側へ張り出す。クロッチサイドシート５０は、自由縁部５０ｂが横軸Ｘの方向内側へ凹曲しているところ、付根縁部５０ａを除く残余域、すなわち、自由縁部５０ｂを含む非接合域における最狭部位の横軸Ｘの方向外側への張り出し寸法は、クロッチサイドシート５０の伸長応力と相まってコア４０の耳部４０ａを下方から上方へ押し上げて耳部４０ａに側壁を有効に形成させるとともに、クロッチサイドシート５０を着用者の大腿内面に安定的に圧接させるうえで、１０〜５０ｍｍが好ましい。クロッチサイドシート５０は、シャーシ１５と同様な材質及び伸長応力を有するものが好適に用いられるほか、弾性伸縮性のフィルム、これと繊維不織布とのラミネートなども用いられうる。
【００４０】
クロッチサイドシート５０は、前述のように、シャーシ１５と別体に形成されることなく、例えば、前後ウエスト域１２，１３を形成する弾性伸縮性の第１及び第２外装シート２０，２１の間のクロッチ域１４をもそれら外装シートと同じ材料でそれら外装シートに連続するシートが用いられ、クロッチ域１４の両側部を除く残余域が熱処理され伸縮性が喪失し、該両側部がクロッチサイドシート５０の相当部とされてもよい。
【００４１】
なお、クロッチサイドシート５０は、図２に示すように、かつ、後述することから理解されるように、コア４０の耳部４０ａに隣接する外側に位置することが重要である。
【００４２】
外装シート３７とベースシート１９との間であって、バット構造体１６が位置する吸液域、とくに後記の吸液性コアの領域には、液抵抗性、好ましくは液不透過性のバリヤシート３８が介在する。ただし、バリヤシート３８は、バット構造体１６とベースシート１９との間に位置する場合もある。
【００４３】
この発明に係る実施の形態におけるクロッチ域１４の機能に関して、特に言及すると、物品の着用時に、図７，８に示すように、クロッチ域１４における比較的幅広いクロッチサイドシート５０が、弾性的に伸長し下方へ屈曲して着用者の大腿内面に密着する。物品の着用状態では、クロッチサイドシート５０が、その弾性収縮力によって、バリヤフラップ４６の下方からコア４０の耳部４０ａを第１条孔４５ａを介して上方へ押し上げ、耳部４０ａに側壁を形成させる。さらに、コア４０が着用者の大腿内面で挟圧されると、第２条孔４５ｂを介して断面Ｗ形に変形する。断面Ｗ形の中央凸部は、少なくとも着用者の臀裂に沿って位置する。クロッチサイドシート５０は、弾性収縮力によってクロッチ域１４に該Ｗ形状を保持させ続ける。したがって、クロッチ域１４が着用者の大腿内面に対する安定的接触が持続する。このように、クロッチサイドシート５０と、コア４０の耳部４０ａと、少なくとも第１条孔４５ａとは、クロッチ域１４に好適な形態をとらせるうえで相関関係を有する。
【図面の簡単な説明】
【００４４】
【図１】この発明に係るパンツ型使い捨て着用物品の一例としてのパンツ型使い捨ておむつの斜視図。
【図２】前記おむつの前後ウエスト域を互いに分離する展開平面図。
【図３】前記おむつの分解斜視図。
【図４】図２の４−４線に沿う拡大断面図。
【図５】吸液性コアの拡大平面図。
【図６】図２の６−６線に沿う拡大断面図。
【図７】吸収性バット構造体が両側縁部の条孔を介して図６の状態から変形した断面図。
【図８】前記バット構造体がさらに前記条孔の間に位置する条孔を介して図７の状態から変形した断面図。
【符号の説明】
【００４５】
１０  ウエスト開口
１１  レッグ開口
１２  前ウエスト域
１３  後ウエスト域
１４  クロッチ域
１５  シャーシ
１６  吸収性バット構造体
１９  ベースシート
２０  第１外装シート
２１  第２外装シート
２２  第３外装シート
２９，３０  ウエストバンド部
３１  弾性部材
３８  バリヤシート
３９  ギャザー
４０  コア
４０ａ  耳部
４２  トップシート
４５ａ  第１条孔
４５ｂ  第２条孔
４６  バリヤフラップ
４６ａ  付根縁部
４６ｂ  自由縁部
４６ｃ  両端部
５０  クロッチサイドシート
５０ａ  付根縁部
５０ｂ  自由縁部
５０ｃ  両端部
１１２  ベースシートの前ウエスト域
１１３  ベースシートの後ウエスト域
１１４  ベースシートのクロッチ域
２４０  後ウエスト域の下方側縁
２５０  クロッチ域の側縁
３４０  前ウエスト域の下方端縁
Ｙ  縦軸
Ｘ  横軸
【図１】
2006346439.tif 000003
【図２】
2006346439.tif 000004
【図３】
2006346439.tif 000005
【図４】
2006346439.tif 000006
【図５】
2006346439.tif 000007
【図６】
2006346439.tif 000008
【図７】
2006346439.tif 000009
【図８】
2006346439.tif 000010